(57)【要約】【課題】  受光体保持部の厚さ方向の寸法を抑えた歯科用口腔内Ｘ線撮影装置を提供する。【解決手段】  歯科用口腔内Ｘ線撮影装置１は、Ｘ線装置を使った撮影時に、撮影対象歯牙又は他の歯牙が咬合することによって保持される保定基板１０を備える。撮影時に、保定基板１０の口腔内に挿入される部分の端部に設けられ、Ｘ線撮像素子を有するＸ線受光部２５を内蔵する受光体保持部２０を備える。Ｘ線撮像素子の周辺回路部２９が、保定基板１０に内蔵される。Ｘ線受光部２５と、周辺回路部２９とは、フレキシブル基板２７を介して接続される。【選択図】図１
2011188880.tif 000002
【特許請求の範囲】
【請求項１】
Ｘ線装置を使った撮影時に、撮影対象歯牙又は他の歯牙が咬合することによって保持される保定基板と、
前記撮影時に、前記保定基板の口腔内に挿入される部分の端部に設けられ、Ｘ線撮像素子を有するＸ線受光部を内蔵する受光体保持部とを備え、
前記Ｘ線撮像素子の周辺回路部が、前記保定基板に内蔵され、
前記Ｘ線受光部と、前記周辺回路部とは、フレキシブル基板を介して接続されることを特徴とする歯科用口腔内Ｘ線撮影装置。
【請求項２】
防水カバーを更に備え、
前記撮影時は、前記保定基板の一部と前記受光体保持部を含む被験者の口腔内に挿入される部分が、前記防水カバーで被覆された状態で、被験者の口腔内に挿入されることを特徴とする歯科用口腔内Ｘ線撮影装置。
【請求項３】
前記Ｘ線撮像素子は、前記フレキシブル基板の上に実装され、前記周辺回路部の回路は、前記フレキシブル基板の上に実装されることを特徴とする請求項１に記載の歯科用口腔内Ｘ線撮影装置。
【請求項４】
前記周辺回路部は、前記Ｘ線撮像素子で得られた画像信号の増幅を行い、
前記Ｘ線撮像素子の駆動、前記画像信号のＡ／Ｄ変換、及び前記画像信号の画像処理は、前記歯科用口腔内Ｘ線撮影装置と別体であるＸ線撮像素子の画像処理装置か、前記周辺回路部が行うことを特徴とする請求項１に記載の歯科用口腔内Ｘ線撮影装置。
【請求項５】
前記保定基板は、前記Ｘ線受光部や前記周辺回路部に電力を供給する太陽電池と、制御信号の受信や前記Ｘ線撮像素子で得られた画像信号の送信を行う通信部とを有し、
前記太陽電池の受光部は、前記撮影時に被験者の口腔内に挿入されない領域に配置されることを特徴とする請求項１に記載の歯科用口腔内Ｘ線撮影装置。
【請求項６】
前記受光体保持部の上面及び前面の上部は、ゴムで構成されることを特徴とする請求項１に記載の歯科用口腔内Ｘ線撮影装置。
【請求項７】
一定長さの線分を有し、Ｘ線を通さない材料で構成された基準スケールを更に備え、
前記基準スケールは、前記受光体保持部に内蔵され、且つ前記Ｘ線受光部と前記Ｘ線装置との間に配置されることを特徴とする請求項１に記載の歯科用口腔内Ｘ線撮影装置。
【請求項８】
前記保定基板は、咬合時に前記撮影対象歯牙と対向する位置に孔部を有し、
前記保定基板は、前記他の歯牙が咬合することにより保持されることを特徴とする請求項１に記載の歯科用口腔内Ｘ線撮影装置。
【発明の詳細な説明】
【技術分野】
【０００１】
本発明は、歯科用口腔内Ｘ線撮影装置に関し、特に歯科用口腔内Ｘ線撮影補助具（インジケータ）にＸ線撮像素子を内蔵させた歯科用口腔内Ｘ線撮影装置に関する。
【背景技術】
【０００２】
特許文献１のように、Ｘ線装置を使った歯牙の撮影において使用される歯科用口腔内Ｘ線補助具（インジケータ）が提案されている。歯科用口腔内Ｘ線補助具は、平板状の保定基板と、撮影時に保定基板の口腔内に挿入される部分の端部に設けられ且つＸ線撮像素子を含むＸ線受光部が装着される受光体保持部と、保定基板を介して受光体保持部と対向する位置に設けられ、Ｘ線照射口を位置決めするために使用される案内部（リング）とを備える。
【先行技術文献】
【特許文献】
【０００３】
【特許文献１】特開２００４−１７４１６２号公報
【発明の概要】
【発明が解決しようとする課題】
【０００４】
しかし、Ｘ線受光部と、歯科用口腔内Ｘ線補助具とが別体構造であるため、Ｘ線受光部と受光体保持部とを合わせた厚さ方向の寸法が大きくなる。
【０００５】
したがって本発明の目的は、受光体保持部の厚さ方向の寸法を抑えた歯科用口腔内Ｘ線撮影装置を提供することである。
【課題を解決するための手段】
【０００６】
本発明に係る歯科用口腔内Ｘ線撮影装置は、Ｘ線装置を使った撮影時に、撮影対象歯牙又は他の歯牙が咬合することによって保持される保定基板と、撮影時に、保定基板の口腔内に挿入される部分の端部に設けられ、Ｘ線撮像素子を有するＸ線受光部を内蔵する受光体保持部とを備え、Ｘ線撮像素子の周辺回路部が、保定基板に内蔵され、Ｘ線受光部と、周辺回路部とは、フレキシブル基板を介して接続される。
【０００７】
受光体保持部が、Ｘ線受光部を内蔵することにより、Ｘ線受光部が別体で、受光体保持部の前面に取り付けられる形態よりも、受光体保持部の厚さ方向の寸法を抑えることが可能になる。また、受光体保持部と、Ｘ線受光部とを一体的に構成するので、配線の引き回しなど、全体の寸法を極力抑えるような設計も行いやすくなるメリットがある。特に、基準スケールを受光体保持部の前面に配置する設計も容易に行える。
【０００８】
また、Ｘ線受光部からの線材がフレキシブル基板を介して配線されるため、Ｘ線受光部からの線材が背面から引き回される形態に比べて、厚さ方向の寸法を抑えることが可能になる上、線材をＸ線保持部や保定基板の内側に隠すことが可能になる。
【０００９】
また、Ｘ線撮像素子の駆動や、Ｘ線撮像素子から出力された画像信号の増幅やＡ／Ｄ変換を行う回路（周辺回路部）を、Ｘ線撮像素子を含むＸ線受光部を内蔵する受光体保持部とは別体の保定基板に内蔵させる。これにより、周辺回路部を受光体保持部に内蔵させる形態に比べて、受光体保持部の寸法を小さくすることが可能になる。具体的には、周辺回路部を構成するアンプなどの部材を配置するスペースだけでなく、これらの部材のうちＸ線が照射されると誤動作を起こす可能性がある回路のＸ線装置と対向する側に設けられるＸ線防護材料の配置スペース分も含めて受光体保持部の寸法を小さくすることが可能になる。
【００１０】
受光体保持部の厚さ方向、縦方向、横方向の寸法を小さくすることが出来れば、被験者の口蓋などとの接触する部分が減り、撮像面と撮影対象歯牙との位置関係の調整（例えば両者を平行、若しくは平行に近い状態にする調整）が行いやすくなる。撮像面と撮影対象歯牙とが平行な位置関係にならなくても、二等分面撮影法などを使えば、実長に近い歯牙の画像を得ることは可能であるが、この場合でも、両者が平行な状態に近い方が、誤差の少ない状態で実長に近い歯牙の画像を得ることが可能になる。
【００１１】
特に、受光体保持部の厚さ方向の寸法を小さくすることが出来れば、Ｘ線フィルムを使って撮影した場合と近い撮影条件でＸ線撮影を行うことが出来るので、Ｘ線フィルムを使ったＸ線撮影に慣れた使用者が、ＣＣＤなどのＸ線撮像素子を使ったＸ線撮影を違和感が少ない状態で行うことが可能になる。
【００１２】
また、周辺回路部のアンプなどの使用時に発熱する可能性がある部材をＸ線撮像素子から離れた場所に配置するため、周辺回路部の部材からＸ線撮像素子への熱の影響を少なくすることも可能になる。但し、ノイズ除去の観点からは、Ｘ線撮像素子と、ドライバやアンプやＡ／Ｄコンバータなどの電気経路を短くすることが望ましいので、周辺回路部は、保定基板におけるＸ線受光部に近い位置に配置されるのが望ましい。
【００１３】
好ましくは、防水カバーを更に備え、撮影時は、保定基板の一部と受光体保持部を含む被験者の口腔内に挿入される部分が、防水カバーで被覆された状態で、被験者の口腔内に挿入される。
【００１４】
受光体保持部と、保定基板との連結部（特にフレキシブル基板）への被験者の唾液などの侵入を防止することが出来る上、保定基板、受光体保持部などの洗浄を行わなくても、防水カバーを取り換えるだけで、他の被験者への使用が可能になるメリットがある。
【００１５】
また、好ましくは、Ｘ線撮像素子は、フレキシブル基板の上に実装され、周辺回路部の回路は、フレキシブル基板の上に実装される。
【００１６】
Ｘ線受光部のＸ線撮像素子は、アルミナ基板など通常の板状基板の上に実装される形態でもよいが、フレキシブル基板などのシート状の基板の上に実装される方が、受光体保持部の厚さ方向の寸法を抑えるメリットがある。フレキシブル基板の上にＸ線受光部のＸ線撮像素子が実装される場合には、通常の板状基板とフレキシブル基板との間のコネクタを省略出来るメリットもある。また、フレキシブル基板の上に、周辺回路部も実装される場合には、１つのフレキシブル基板の上に、Ｘ線撮像素子や周辺回路部を実装することも可能になる。
【００１７】
また、好ましくは、周辺回路部は、Ｘ線撮像素子で得られた画像信号の増幅を行い、Ｘ線撮像素子の駆動、画像信号のＡ／Ｄ変換、及び画像信号の画像処理は、歯科用口腔内Ｘ線撮影装置と別体であるＸ線撮像素子の画像処理装置か、周辺回路部が行う。
【００１８】
また、好ましくは、保定基板は、Ｘ線受光部や周辺回路部に電力を供給する太陽電池と、制御信号の受信やＸ線撮像素子で得られた画像信号の送信を行う通信部とを有し、太陽電池の受光部は、撮影時に被験者の口腔内に挿入されない領域に配置される。
【００１９】
保定基板には、被験者の口腔内に挿入されない領域に、太陽電池の受光パネルを配置することが可能であり、Ｘ線撮影は室内照明光が点灯した状態で行われることが多いため、該照明光を使った発電に基づいて、Ｘ線受光部や周辺回路部に電力を供給することは可能である。特に、Ｘ線撮影では、撮影前後だけ、Ｘ線撮像素子を駆動したり、画像信号のＡ／Ｄ変換したりすれば良いため、デジタルカメラのライブビュー表示や測光、測距動作のように、撮影時以外に電力消費を行う必要性が少なく、照明光によって発電された電力を二次電池などに蓄電せずに、Ｘ線撮像素子などを駆動することが出来る。
【００２０】
太陽電池などの発電装置を使った場合には、交流電源を用いずに、Ｘ線撮像素子などへ電力供給が出来るため、交流電源を使い直流に変換した後にＸ線撮像素子などへ電力供給する形態に比べてノイズ重畳を抑えることも可能になる。
【００２１】
また、この場合、周辺回路部からＸ線撮像素子の画像処理装置への画像信号の送信、Ｘ線撮像素子の画像処理装置から周辺回路部（またはＸ線受光部）への制御信号の送信は、ケーブルを介さずに、Ｂｌｕｅｔｏｏｔｈなどの無線によって行われると、歯科用口腔内Ｘ線撮影装置とＸ線撮像素子の画像処理装置との間にケーブルを介さない信号送受信が可能になる。
【００２２】
また、好ましくは、受光体保持部の上面及び前面の上部は、ゴムで構成される。
【００２３】
これにより、かかる部分が硬い素材で出来ている場合に比べて、口蓋と接触することによる被験者の痛みを和らげることが可能になる。受光体保持部２０と、Ｘ線受光部２５とが、別体の場合には、両者の上部の素材を吟味する必要があるが、本実施形態では、受光体保持部２０がＸ線受光部２５を内蔵するため、受光体保持部２０の上部の素材だけを考慮すれば、口蓋と接触することによる被験者の痛みを和らげることが可能になる。
【００２４】
また、好ましくは、一定長さの線分を有し、Ｘ線を通さない材料で構成された基準スケールを更に備え、基準スケールは、受光体保持部に内蔵され、且つＸ線受光部とＸ線装置との間に配置される。
【００２５】
基準スケールも撮影対象歯牙と共に撮像されて、Ｘ線画像に含まれるため、Ｘ線画像に含まれる基準スケールの画像と比べながら、撮影対象歯牙等の実長を知ることが可能になる。
【００２６】
また、好ましくは、保定基板は、咬合時に前記撮影対象歯牙と対向する位置に孔部を有し、保定基板は、他の歯牙が咬合することにより保持される。
【００２７】
リーマーを取り付けた状態では、撮影対象歯牙で保定基板を咬合することが出来ないため、リーマーを避けるように、咬合時に撮影対象歯牙と対向する位置に孔部を設け、他の歯牙で咬合させるようにする。
【発明の効果】
【００２８】
以上のように本発明によれば、受光体保持部の厚さ方向の寸法を抑えた歯科用口腔内Ｘ線撮影装置を提供することができる。
【図面の簡単な説明】
【００２９】
【図１】本実施形態における歯科用口腔内Ｘ線撮影装置の斜視図である。
【図２】歯科用口腔内Ｘ線撮影装置、及びＸ線装置の側面図である。
【図３】保定基板に切り欠きが無い場合の歯科用口腔内Ｘ線撮影装置の斜視図である。
【図４】保定基板に孔部を設けた場合の歯科用口腔内Ｘ線撮影装置の斜視図である。
【図５】防水カバーを覆った状態の歯科用口腔内Ｘ線撮影装置、及びＸ線装置の側面図である。
【発明を実施するための形態】
【００３０】
以下、本実施形態における歯科用口腔内Ｘ線撮影装置の構成について、図を用いて説明する。本実施形態に係る歯科用口腔内Ｘ線撮影装置１は、保定基板１０、受光体保持部２０、Ｘ線受光部２５、基準スケール２６、フレキシブル基板２７、周辺回路部２９、及び案内リング（案内部）３０を備える（図１、図２参照）。
【００３１】
保定基板１０、受光体保持部２０、及び案内リング３０は、歯科用口腔内Ｘ線撮影補助具（インジケータ）を構成し、受光体保持部２０がＸ線撮像素子などＸ線受光部２５や基準スケール２６を内蔵し、保定基板１０がＸ線撮像素子の周辺回路部２９を内蔵し、Ｘ線受光部２５と周辺回路部２９とはフレキシブル基板２７を介して接続される。
【００３２】
次に、各部の詳細について説明する。保定基板１０は、平板状に形成され、後述する周辺回路部２９を内蔵する。本実施形態では、保定基板１０が、奥歯の撮影用に、一部分が切り欠かれ上から見て略Ｕ字形状を有する形態を説明するが、前歯の撮影用に、切り欠きの無い直線形状を有する形態であってもよい（図３参照）。
【００３３】
受光体保持部２０は、Ｘ線撮像素子を有するＸ線受光部２５や基準スケール２６を内蔵する板状部材であり、保定基板１０の口腔内に挿入される部分の端部に設けられ、保定基板１０に固定されるか、Ｘ線装置５０からのＸ線の入射角を調整するために回転可能な状態で保持される。
【００３４】
口腔内の口蓋と接触する箇所、すなわち受光体保持部２０の上面及び前面の上部は、ゴムなど比較的柔らかい材質で構成されるのが望ましい。これにより、かかる部分が硬い素材で出来ている場合に比べて、口蓋と接触することによる被験者の痛みを和らげることが可能になる。受光体保持部２０と、Ｘ線受光部２５とが、別体の場合には、両者の上部の素材を吟味する必要があるが、本実施形態では、受光体保持部２０がＸ線受光部２５を内蔵するため、受光体保持部２０の上部の素材だけを考慮すれば、口蓋と接触することによる被験者の痛みを和らげることが可能になる。
【００３５】
Ｘ線受光部２５は、Ｘ線を可視光に変換するシンチレータ、該可視光を電荷に変換するＣＣＤなどのＸ線撮像素子を有する。基準スケール２６は、一定長さの線分と、該線分上に１ｍｍ単位など一定間隔の目盛りを有し、Ｘ線を通さない材料で構成され、Ｘ線装置５０とＸ線受光部２５との間に配置される。
【００３６】
Ｘ線受光部２５の周辺回路部２９は、Ｘ線受光部２５のＸ線撮像素子を駆動するドライバ、Ｘ線撮像素子から出力された画像信号を増幅するアンプ、アナログの画像信号をデジタル信号に変換するＡ／Ｄコンバータなどを有し、保定基板１０のＸ線受光部２５に内蔵される。ノイズ除去の観点からは、Ｘ線撮像素子と、ドライバ、アンプ、Ａ／Ｄコンバータなどとの電気経路を短くすることが望ましいので、周辺回路部２９は、保定基板１０におけるＸ線受光部２５に近い位置に配置されるのが望ましい。
【００３７】
また、周辺回路部２９には、Ｘ線が照射されると誤動作を起こす可能性がある回路が含まれるため、保定基板１０の上面であって、周辺回路部２９が内蔵される部分には、Ｘ線防護材料が設けられることが望ましい。
【００３８】
Ｘ線受光部２５と、周辺回路部２９とは、フレキシブル基板２７を介して接続される。フレキシブル基板２７は、保定基板１０と受光体保持部２０の接続部分の内側に設けられる。
【００３９】
本実施形態では、Ｘ線撮像素子を駆動するドライバと、Ｘ線撮像素子から出力された画像信号を増幅するアンプと、画像信号のＡ／Ｄ変換を行うＡ／Ｄコンバータとを、周辺回路部２９が有する形態を説明するが、さらに画像処理の一部又は全部を行う画像処理回路も更に有する形態であってもよい。この場合は、後述するＸ線撮像素子の画像処理装置は不要になり、当該画像処理回路から、パソコンのモニター（不図示）で表示可能な画像データがパソコンに出力される。
【００４０】
Ｘ線受光部２５のＸ線撮像素子は、アルミナ基板など通常の板状基板の上に実装される形態でもよいが、フレキシブル基板２７などのシート状の基板の上に実装される方が、受光体保持部２０の厚さ方向の寸法を抑えるメリットがある。フレキシブル基板２７の上にＸ線受光部２５のＸ線撮像素子が実装される場合には、通常の板状基板とフレキシブル基板２７との間のコネクタを省略出来るメリットもある。また、Ｘ線撮像素子にコネクタが設けられている場合には、かかるコネクタをフレキシブル基板２７に接続させる形態であってもよい。
【００４１】
また、フレキシブル基板２７の上に、周辺回路部２９も実装される場合には、１つのフレキシブル基板２７の上に、Ｘ線撮像素子や周辺回路部２９を実装することも可能になる。
【００４２】
周辺回路部２９は、保定基板１０の内部に設けられたケーブルＣ１を介して、Ｘ線撮像素子の画像処理装置（不図示）と接続する。ケーブルＣ１を介して、画像処理装置からＸ線受光部２５や周辺回路部２９への電力供給、画像処理装置から周辺回路部２９（またはＸ線受光部２５）への制御信号の送信、及び周辺回路部２９（またはＸ線受光部２５）から画像処理装置への画像信号の送信が行われる。画像処理装置では、Ｘ線撮像素子で得られた画像信号に画像処理を施し、パソコンのモニター（不図示）で表示可能な画像データに変換される。
【００４３】
Ｘ線装置５０を使った撮影時は、保定基板１０の一部、及びＸ線受光部２５が内蔵された受光体保持部２０が、被験者の口腔内に挿入され、撮影対象歯牙の歯軸と保定基板１０とが垂直になるような状態で、保定基板１０が被験者の撮影対象歯牙又は他の歯牙の咬合によって保持される。なお、撮影対象歯牙などによる保定基板１０の咬合は、図１や図２で示すように撮影対象歯牙などが保定基板１０に直接接触した状態で行われる形態であってもよいし、高さ調節などのための部材を間に挟んだ状態で行われる形態（不図示）であってもよい。
【００４４】
なお、リーマーを取り付けた状態では、撮影対象歯牙で保定基板１０を咬合することが出来ないため、リーマーを避けるように、咬合時に撮影対象歯牙と対向する位置に孔部１１を設け、他の歯牙で咬合させるようにする形態も考えられる（図４参照）。この場合、孔部１１を避けるように、保定基板１０に内蔵される周辺回路部２９が構成される必要がある。
【００４５】
案内リング３０は、保定基板１０を介して、受光体保持部２０と対向する位置に設けられ、Ｘ線照射口５０ａを位置決めするために使用される。案内リング３０は、受光体保持部２０側から見て縦長の略楕円形状（または真円形状）を有する。
【００４６】
Ｘ線受光部２５から出力された画像信号は、周辺回路部２９で増幅、及びＡ／Ｄ変換され、その後、ケーブルＣ１を介して、Ｘ線撮像素子の画像処理装置に送信され、画像処理装置で画像処理が施され、画像処理装置に接続されたパソコンのモニターに表示可能な画像データにされる。
【００４７】
本実施形態では、受光体保持部２０が、Ｘ線受光部２５を内蔵する。これにより、Ｘ線受光部２５が別体で、受光体保持部２０の前面に取り付けられる形態よりも、受光体保持部２０の厚さ方向の寸法を抑えることが可能になる。また、受光体保持部２０と、Ｘ線受光部２５とを一体的に構成するので、配線の引き回しなど、全体の寸法を極力抑えるような設計も行いやすくなるメリットがある。特に、基準スケール２６を受光体保持部２０の前面に配置する設計も容易に行える。
【００４８】
また、Ｘ線受光部２５からの線材がフレキシブル基板を介して配線されるため、Ｘ線受光部２５からの線材が背面から引き回される形態に比べて、厚さ方向の寸法を抑えることが可能になる上、線材をＸ線保持部２０や保定基板１０の内側に隠すことが可能になる。
【００４９】
また、Ｘ線撮像素子の駆動や、Ｘ線撮像素子から出力された画像信号の増幅やＡ／Ｄ変換を行う回路（周辺回路部２９）を、Ｘ線撮像素子を含むＸ線受光部２５を内蔵する受光体保持部２０とは別体の保定基板１０に内蔵させる。これにより、周辺回路部２９を受光体保持部２０に内蔵させる形態に比べて、受光体保持部２０の寸法を小さくすることが可能になる。具体的には、周辺回路部２９を構成するアンプなどの部材を配置するスペースだけでなく、これらの部材のうちＸ線が照射されると誤動作を起こす可能性がある回路のＸ線装置５０と対向する側に設けられるＸ線防護材料の配置スペース分も含めて受光体保持部２０の寸法を小さくすることが可能になる。
【００５０】
受光体保持部２０の厚さ方向、縦方向、横方向の寸法を小さくすることが出来れば、被験者の口蓋などとの接触する部分が減り、撮像面と撮影対象歯牙との位置関係の調整（例えば両者を平行、若しくは平行に近い状態にする調整）が行いやすくなる。撮像面と撮影対象歯牙とが平行な位置関係にならなくても、二等分面撮影法などを使えば、実長に近い歯牙の画像を得ることは可能であるが、この場合でも、両者が平行な状態に近い方が、誤差の少ない状態で実長に近い歯牙の画像を得ることが可能になる。
【００５１】
特に、受光体保持部２０の厚さ方向の寸法を小さくすることが出来れば、Ｘ線フィルムを使って撮影した場合と近い撮影条件でＸ線撮影を行うことが出来るので、Ｘ線フィルムを使ったＸ線撮影に慣れた使用者が、ＣＣＤなどのＸ線撮像素子を使ったＸ線撮影を違和感が少ない状態で行うことが可能になる。
【００５２】
また、周辺回路部２９のアンプなど使用時に発熱する可能性がある部材をＸ線撮像素子から離れた場所に配置するため、周辺回路部２９の部材からＸ線撮像素子への熱の影響を少なくすることも可能になる。
【００５３】
また、基準スケール２６も撮影対象歯牙と共に撮像されて、Ｘ線画像に含まれるため、Ｘ線画像に含まれる基準スケール２６の画像と比べながら、撮影対象歯牙等の実長を知ることが可能になる。
【００５４】
なお、Ｘ線装置５０を使った撮影時は、被験者の口腔内に挿入される部分（保定基板１０の一部、及びＸ線受光部２５が内蔵された受光体保持部２０）が、防水カバー４０で被覆された状態で、被験者の口腔内に挿入されるのが望ましい（図５参照）。この場合は、受光体保持部２０と、保定基板１０との連結部（特にフレキシブル基板２７）への被験者の唾液などの侵入を防止することが出来る上、保定基板１０、受光体保持部２０などの洗浄を行わなくても、防水カバー４０を取り換えるだけで、他の被験者への使用が可能になるメリットがある。
【００５５】
また、Ｘ線受光部２５とＸ線撮像素子の画像処理装置との電気的な接続は、保定基板１０の内部に設けられたケーブルＣ１を介して行われるため、ケーブルが被験者の口腔内と接触する機会を減らすことが可能になる。
【００５６】
なお、Ｘ線受光部２５への電力供給は、ケーブルＣ１を介して、Ｘ線撮像素子の画像処理装置から行われる形態を説明したが、他の電源による電力供給であってもよい。例えば、保定基板１０上に設けられた電池または太陽電池などの発電装置によって電力供給される形態が考えられる。保定基板１０には、被験者の口腔内に挿入されない領域に、太陽電池の受光パネルを配置することが可能であり、Ｘ線撮影は室内照明光が点灯した状態で行われることが多いため、該照明光を使った発電に基づいて、Ｘ線受光部２５や周辺回路部２７に電力を供給することは可能である。特に、Ｘ線撮影では、撮影前後だけ、Ｘ線撮像素子を駆動したり、画像信号のＡ／Ｄ変換したりすれば良いため、デジタルカメラのライブビュー表示や測光、測距動作のように、撮影時以外に電力消費を行う必要性が少なく、照明光によって発電された電力を二次電池などに蓄電せずに、Ｘ線撮像素子などを駆動することが出来る。
【００５７】
太陽電池などの発電装置を使った場合には、交流電源を用いずに、Ｘ線撮像素子などへ電力供給が出来るため、交流電源を使い直流に変換した後にＸ線撮像素子などへ電力供給する形態に比べてノイズ重畳を抑えることも可能になる。
【００５８】
また、この場合、周辺回路部２９からＸ線撮像素子の画像処理装置への画像信号の送信、Ｘ線撮像素子の画像処理装置から周辺回路部２９（またはＸ線受光部２５）への制御信号の送信は、ケーブルＣ１を介さずに、Ｂｌｕｅｔｏｏｔｈなどの無線によって行われると、歯科用口腔内Ｘ線撮影装置１とＸ線撮像素子の画像処理装置との間にケーブルを介さない信号送受信が可能になる。
【００５９】
また、本実施形態では、周辺回路部２９が、Ｘ線撮像素子のドライバ、Ｘ線撮像素子から出力された画像信号の増幅を行うアンプ、画像信号のＡ／Ｄ変換を行うＡ／Ｄコンバータを有する形態を説明した。ノイズ除去の観点からは、本実施形態のように、Ｘ線撮像素子と、ドライバ、アンプ、Ａ／Ｄコンバータなどの電気経路を短くすることが望ましいが、ドライバやＡ／Ｄコンバータは、歯科用口腔内Ｘ線撮像装置１と別体で、ケーブルＣ１を介して接続されるＸ線撮像素子の画像処理装置（不図示）側に配置される形態であってもよい。この場合は、周辺回路部２９のアンプで増幅され、出力インピーダンスを低くした状態で、画像信号が、別体の画像処理装置のＡ／Ｄコンバータに出力される。
【００６０】
また、周辺回路部２９に、アンプで増幅する前に、ノイズ除去のため、画像信号の高周波成分など取り除く処理を行う回路が含まれる形態であってもよい。
【００６１】
また、Ｘ線撮像素子の画像処理装置は、パソコンと別体のものであってもよいが、パソコンのソフトウエア上で画像処理が行われる形態であってもよい。
【符号の説明】
【００６２】
１  歯科用口腔内Ｘ線撮影装置
１０  保定基板
１１  孔部
２０  受光体保持部
２５  Ｘ線受光部
２７  フレキシブル基板
２９  周辺回路部
３０  案内リング
４０  防水カバー
５０  Ｘ線装置
【図１】
2011188880.tif 000003
【図２】
2011188880.tif 000004
【図３】
2011188880.tif 000005
【図４】
2011188880.tif 000006
【図５】
2011188880.tif 000007